(57)【要約】【課題】利便性を向上できる縦型電気掃除機を提供する。【解決手段】電動送風機２を内装する本体部４と、本体部４の下方に配される吸込口体５と、使用者が把持する把持部８を有して本体部４に着脱自在に設けられる延長パイプ６と、延長パイプ６と本体部４とを連結する伸縮自在の接続ホース７と、本体部４から延びる電源コード１４と、接続ホース７に取り付けられるとともに電源コード１４を掛止する掛止部２０とを備えた。【選択図】図９
2008161501.tif 000002
【特許請求の範囲】
【請求項１】
電動送風機を内装する本体部と、前記本体部の下方に配される吸込口体と、使用者が把持する把持部を有して前記本体部に着脱自在に設けられる延長パイプと、前記延長パイプと前記本体部とを連結する伸縮自在の接続ホースと、前記本体部から延びる電源コードと、前記接続ホースに取り付けられるとともに前記電源コードを掛止する掛止部とを備えたことを特徴とする縦型電気掃除機。
【請求項２】
前記掛止部は前記接続ホースを挟持する環状部を有し、前記延長パイプを前記本体部に装着した際に前記接続ホースは縮んだ状態で前記本体部上に略鉛直に支持されることを特徴とする請求項１に記載の縦型電気掃除機。
【請求項３】
前記接続ホースは軸方向に連なる円筒面を有し、前記延長パイプを前記本体部に装着して縮んだ際に前記円筒面が積層されることを特徴とする請求項２に記載の縦型電気掃除機。
【請求項４】
前記円筒面は螺旋状部材または複数の環状部材により形成され、隣接する前記円筒面を連結するとともに前記接続ホースが縮んだ際に前記円筒面の内面に沿って折り畳まれる連結面を有することを特徴とする請求項３に記載の縦型電気掃除機。
【請求項５】
前記延長パイプに回動自在に取付けられるとともに前記接続ホースの上部を支持する可動部を設けたことを特徴とする請求項２〜請求項４のいずれかに記載の縦型電気掃除機。
【請求項６】
前記掛止部が可撓性部材から成ることを特徴とする請求項１〜請求項５のいずれかに記載の縦型電気掃除機。
【請求項７】
前記延長パイプを前記本体部に装着した際に前記掛止部を係止して前記接続ホースを保持するホース保持部を前記延長パイプ及び前記掛止部に設けたことを特徴とする請求項１〜請求項６のいずれかに記載の縦型電気掃除機。
【発明の詳細な説明】
【技術分野】
【０００１】
本発明は、電動送風機を内装した本体部の下方に吸込口体を有する縦型電気掃除機に関し、特に本体部から延びて把持部を有した延長パイプを本体部に対して着脱できる縦型電気掃除機に関する。
【背景技術】
【０００２】
従来の縦型電気掃除機は特許文献１に開示されている。この縦型電気掃除機は電動送風機を内装する本体部の下方に吸込口体が配される。本体部には着脱自在の延長パイプが上方に延びて装着され、延長パイプの上部に把持部が設けられる。これにより、把持部を把持して吸込口体を本体部とともに移動して掃除することができる。また、延長パイプの一端は接続ホースを介して本体部に接続される。これにより、本体部から脱着した延長パイプの先端から吸気して天井や家具の隙間等の掃除を行うことができる。
【０００３】
本体部から延出される電源コードが下方に垂れると吸込口体に絡んで移動が妨げられ、使用性が悪化する。このため、特許文献２の縦型電気掃除機は、本体部から延出された電源コードを掛止する掛止部が設けられている。掛止部は本体部から上方に延びて把持部を有する操作棹に設けられる。これにより、電源コードの絡みつきを防止して縦型電気掃除機の使用性を向上することができる。
【０００４】
【特許文献１】特開２００５−８７５０８号公報（第４頁−第９頁、第１図）
【特許文献２】特開２００５−１８５５８５号公報（第３頁−第６頁、第３図）
【発明の開示】
【発明が解決しようとする課題】
【０００５】
上記特許文献１の縦型電気掃除機は特許文献２と同様に把持部を有する延長パイプに掛止部を設けると、延長パイプが本体部からの脱着時に電源コードに引張られる。このため、掛止部から電源コードを外した後に延長パイプを脱着する必要があり、縦型電気掃除機の利便性が悪い問題があった。
【０００６】
本発明は、利便性を向上できる縦型電気掃除機を提供することを目的とする。
【課題を解決するための手段】
【０００７】
上記目的を達成するために本発明は、電動送風機を内装する本体部と、前記本体部の下方に配される吸込口体と、使用者が把持する把持部を有して前記本体部に着脱自在に設けられる延長パイプと、前記延長パイプと前記本体部とを連結する伸縮自在の接続ホースと、前記本体部から延びる電源コードと、前記接続ホースに取り付けられるとともに前記電源コードを掛止する掛止部とを備えたことを特徴としている。
【０００８】
この構成によると、電動送風機を内装する本体部の下方に吸込口体が配される。本体部には延長パイプが装着され、延長パイプに設けた把持部を把持して吸込口体を本体部とともに移動して掃除が行われる。延長パイプの一端は接続ホースを介して本体部に接続され、本体部から脱着した延長パイプの先端から吸気して天井や家具の隙間等の掃除が行われる。本体部から延出される電源コードは接続ホースに取り付けた掛止部により掛止される。これにより、延長パイプの装着時に吸込口体との絡みつきが防止される。また、接続ホースは伸縮するため電源コードを掛止部から取外すことなく延長パイプを脱着して掃除が行われる。
【０００９】
また本発明は、上記構成の縦型電気掃除機において、前記掛止部は前記接続ホースを挟持する環状部を有し、前記延長パイプを前記本体部に装着した際に前記接続ホースは縮んだ状態で前記本体部上に略鉛直に支持されることを特徴としている。この構成によると、環状部により接続ホースを挟んで掛止部が接続ホースに取り付けられる。延長パイプを本体部に装着した際に伸縮自在の接続ホースは縮んだ状態で本体部から略垂直に延びて支持される。これにより、環状部が接続ホースと摺動して掛止部を上下に移動させることができる。
【００１０】
また本発明は、上記構成の縦型電気掃除機において、前記接続ホースは軸方向に連なる円筒面を有し、前記延長パイプを前記本体部に装着して縮んだ際に前記円筒面が積層されることを特徴としている。この構成によると、円筒面が軸方向に連なって形成される接続ホースは縮んだ状態で円筒面が接近して積層される。これにより、環状部が接続ホースの円筒面と摺動して掛止部を上下に移動させることができる。円筒面は螺旋状に形成して軸方向に連なるように設けてもよく、複数の環状部材により形成して軸方向に連なるように設けてもよい。
【００１１】
また本発明は、上記構成の縦型電気掃除機において、前記円筒面は螺旋状部材または複数の環状部材から成り、隣接する前記円筒面を連結するとともに前記接続ホースが縮んだ際に前記円筒面の内面に沿って折り畳まれる連結面を有することを特徴としている。この構成によると、螺旋状部材または環状部材から成る円筒面を連結する連結面は接続ホースが縮んだ際に円筒面の内面側に折り畳まれ、隣接する円筒面が接近して積層される。連結面が円筒面の内面側から引き出されると隣接する円筒面の間隔が広がって接続ホースが伸長される。円筒面と連結面とは別部材から成ってもよく、同一部材から成ってもよい。
【００１２】
また本発明は、上記構成の縦型電気掃除機において、前記延長パイプに回動自在に取付けられるとともに前記接続ホースの上部を支持する可動部を設けたことを特徴としている。この構成によると、延長パイプを本体部に装着すると可動部は接続ホースが略鉛直に配されるように上部を支持する。延長パイプを本体部から脱着すると可動部が回動し、接続ホースに対する延長パイプの向きを可変しながら掃除が行われる。
【００１３】
また本発明は、上記構成の縦型電気掃除機において、前記掛止部が可撓性部材から成ることを特徴としている。この構成によると、掛止部が弾性変形して接続ホースに取り付けられる。
【００１４】
また本発明は、上記構成の縦型電気掃除機において、前記延長パイプを前記本体部に接続した際に前記掛止部を係止して前記接続ホースを保持するホース保持部を前記延長パイプ及び前記掛止部に設けたことを特徴としている。この構成によると、延長パイプを本体部に装着し、掛止部に設けたホース保持部を延長パイプに設けたホース保持部に係止して接続ホースが延長パイプに保持される。これにより、接続ホースが広がることなく縦型電気掃除機が収納される。
【発明の効果】
【００１５】
本発明によると、電源コードの掛止部を伸縮自在の接続ホースに取り付けたので、延長パイプを本体部から脱着した際に接続ホースが伸長するため電源コードを取外す必要がない。このため、容易に延長パイプを脱着して掃除を行うことができ、縦型電気掃除機の利便性を向上することができる。
【００１６】
また本発明によると、接続ホースを挟持する環状部を掛止部に設け、延長パイプを本体部に装着した際に接続ホースが縮んだ状態で本体部上に略鉛直に支持されるので、環状部が接続ホースと摺動して掛止部を簡単に上下に移動させることができる。従って、延長パイプの着脱に応じて掛止部の位置を可変して電源コードを邪魔にならないように簡単に配置でき、縦型電気掃除機の利便性をより向上することができる。
【００１７】
また本発明によると、接続ホースが延長パイプを本体部に装着して縮んだ際に軸方向に連なる円筒面が積層されるので、環状部が接続ホースの円筒面と摺動して掛止部をより簡単に上下に移動させることができる。
【００１８】
また本発明によると、螺旋状部材または複数の環状部材から成る円筒面を連結して接続ホースが縮んだ際に円筒面の内面に沿って折り畳まれる連結面を有するので、伸びた際の接続ホースの長さを十分確保することができる。また、折り畳まれた連結面により円筒面が補強されるため接続ホースが曲がりにくくなり、掛止部をより簡単に上下に移動させることができる。加えて、接続ホースが縮んだ時の内径を大きく確保することができる。このため、接続ホースの一部が縮んだ状態で掃除する際に気流面積を広く確保して高い吸引力を維持することができる。
【００１９】
また本発明によると、延長パイプに回動自在に取付けられるとともに接続ホースの上部を支持する可動部を設けたので、延長パイプの装着時に接続ホースを簡単に略鉛直に支持することができるとともに、延長パイプの脱着時に接続ホースに対する向きを容易に可変することができる。従って、縦型電気掃除機の利便性をより向上することができる。
【００２０】
また本発明によると、掛止部が可撓性部材から成るので、弾性変形によって掛止部を簡単に接続ホースに取り付けることができるとともに電源コードを容易に掛止することができる。
【００２１】
また本発明によると、延長パイプ及び掛止部に設けたホース保持部によって掛止部を係止して接続ホースを保持するので接続ホースに保持部材を別途設ける必要がなく、部品点数を削減することができる。
【発明を実施するための最良の形態】
【００２２】
以下に本発明の実施形態を図面を参照して説明する。図１は一実施形態の縦型電気掃除機を示す斜視図である。縦型電気掃除機１は電動送風機２及び集塵部３（いずれも図３参照）を内装する本体部４を備えている。本体部４の下方には床面に面した吸気口を有する吸込口体５が設けられ、本体部４は吸込口体５に対して傾倒可能になっている。
【００２３】
本体部４の上方には詳細を後述するように着脱自在の延長パイプ６が鉛直方向に延びて配される。延長パイプ６の上部には使用者が把持する把持部８が設けられる。延長パイプ６の一端には伸縮自在の接続ホース７が接続される。接続ホース７によって延長パイプ６と本体部４内の電動送風機２とが連通する。
【００２４】
図２、図３はそれぞれ縦型電気掃除機１の正面図及び側面断面図を示している。本体部４内には電動送風機２の下方に集塵部３が連通して配される。吸込口体５と集塵部３とは本体部４に設けた気流路４ａにより連通する。集塵部３は集塵容器３ａを有し、旋回気流により塵埃を分離するサイクロン式になっている。本体部４の前面パネル４ｄは把手４ｅを把持して開閉可能になっており、塵埃を捕集した集塵容器３ａは前面パネル４ｄとともに着脱可能になっている。
【００２５】
本体部４の後部には上面を開口して集塵部３に連通する気流路４ｂが設けられる。気流路４ｂの上端には接続ホース７の下端が嵌合する下支持部４ｃが形成される。下支持部４ｃによって接続ホース７の下部が略鉛直に支持される。接続ホース７の上端は延長パイプ６に取り付けられた可動部９に形成される上支持部９ａに嵌合される。可動部は軸部９ｂで回動自在に支持され、上支持部９ａにより接続ホース７の上部が略鉛直に支持される。また詳細を後述するように、接続ホース７には電源コード１４（図９参照）を掛止する掛止部２０が設けられる。
【００２６】
電動送風機２と気流路４ｂとの間には本体部４の上面を開口する延長パイプ収納部４ｆが設けられる。延長パイプ収納部４ｆには延長パイプ６の先端部分が収納され、フック１１の操作によって図４に示すように本体部４から延長パイプ６が脱着可能になっている。
【００２７】
また、延長パイプ６はフック１２の操作によって図５に示すように下部６ａと上部６ｂに分割可能になっている。下部６ａには貫通孔から成る気流路６ｄが形成され、気流路６ｄ内に伸長パイプ６ｃが配される。延長パイプ６を本体部４から脱着した際に延長パイプ６の先端から伸長パイプ６ｃを引き出して延長パイプ６を伸長することができる。
【００２８】
把持部８が設けられる上部６ｂには貫通孔から成る気流路６ｅが形成される。気流路６ｅの上端と可動部９の上支持部９ａとが可動部９に挿通される中間ホース１０により連結される。中間ホース１０は接続ホース７よりも軟質の樹脂から成り、蛇腹に形成されて可撓性を有している。これにより、延長パイプ６に対して回動する可動部９に中間ホース１０が追随して延長パイプ６と接続ホース７との連結を維持することができる。
【００２９】
上記構成の縦型電気掃除機１において、延長パイプ６を本体部４に装着した状態で電動送風機２が駆動されると、吸込口体５の吸気口から塵埃とともに空気が吸い込まれる。吸気口から吸い込まれた空気は気流路４ａを介して集塵部３に流入し、旋回による遠心力によって塵埃が分離される。分離された塵埃は集塵容器３ａに堆積し、前面パネル４ｄを開いて廃棄される。集塵部３によって塵埃が除去された空気は電動送風機２が配される室内を通って排気口（不図示）から排気される。これにより、床面の掃除が行われる。
【００３０】
この時、延長パイプ６と延長パイプ収納部４ｆ内面との間はパッキン（不図示）によりシールされており、延長パイプ収納部４ｆと気流路４ｂとの間に気流が流通しない。これにより、縦型電気掃除機１の仕事率低下が防止される。
【００３１】
フック１１の操作によって延長パイプ６を本体部４から脱着すると、図６に示すように延長パイプ６の先端から伸長パイプ６ｃが引き出される。電動送風機２を駆動すると伸長パイプ６ｃの先端から塵埃とともに空気が吸い込まれる。伸長パイプ６ｃから吸い込まれた空気は延長パイプ６の気流路６ｄ、６ｅ、中間ホース１０、接続ホース７を流通し、気流路４ｂを介して集塵部３に流入する。
【００３２】
これにより、図７に示すように室内の上方に配される空気調和機、天井、家具の隙間等の掃除を楽に行うことができる。また、フック１２の操作によって延長パイプ６の上部６ｂを分離すると、図８に示すように机上等の掃除を楽に行うことができる。
【００３３】
図９は縦型電気掃除機１を背面から見た斜視図である。本体部４の上部には電源コード１４を引き出す引出口４ｇが設けられる。引出口４ｇから延出される電源コード１４は接続ホース７に取付けられた掛止部２０に掛止される。これにより、電源コード１４が下方に垂れて掃除中に吸込口体５に絡みつくことによる使用性悪化を防止することができる。
【００３４】
図１０、図１１、図１２は掛止部２０を背面側から見た斜視図、前面側から見た斜視図、及び底面図を示している。樹脂成形品から成る掛止部２０は可撓性を有し、接続ホース７と嵌合する環状の環状部２１を有している。環状部２１は１箇所を分割され、分割箇所に対して約半周離れた折り目２１ａで折曲可能になっている。
【００３５】
また、環状部２１は分割によって対向する周方向の両端にはフック２２及び孔部２３が設けられる。接続ホース７を環状部２０に挿通して孔部２３にフック２２を係合することにより、接続ホース７を挟持して掛止部２０が接続ホース７に取り付けられる。環状部２０を分割せずに弾性によって接続ホース７を挟持してもよい。
【００３６】
折り目２１ａに対して約９０゜離れた位置には電源コード１４を挿通して掛ける溝部２４が設けられる。溝部２４の正面は両側壁から延びる前壁２５によって隙間２５ａを有して覆われる。隙間２５ａに電源コード１４を押し当てると前壁２５が弾性変形し、電源コード１４を溝部２４に挿入することができる。
【００３７】
また、隙間２５ａは上部が下部よりも狭くなっている。このため、下方から延びる電源コード１４を下から引くと溝部２４から容易に外すことができるが、上方から引くと容易に外れないようになっている。これにより、掃除中に電源コード１４が外れにくく、縦型電気掃除機１の利便性を向上することができる。
【００３８】
溝部２４に対して約半周離れた位置には延長パイプ６に設けたフック６ｆ（図３参照）が挿入されるフック挿入部２６が設けられる。フック挿入部２６は上面が塞がれ、正面側上部を覆う前壁２６ａと環状部２１から突出するリブ２６ｂとを備えている。縦型電気掃除機１を収納する際に図１３に示すようにフック挿入部２６にフック６ｆが挿入される。掛止部２０は前壁２６ａとリブ２６ｂによりフック６ｆを挟持して接続ホース７が延長パイプ６に保持される。
【００３９】
即ち、フック６ｆ及びフック挿入部２６は縦型電気掃除機１の収納時に接続ホース７を広がらずに保持するホース保持部を構成する。従って、接続ホース７に保持部材を別途設ける必要がなく、縦型電気掃除機１の部品点数を削減することができる。延長パイプ６に設けた孔部と掛止部２０に設けたフックによってホース保持部を構成してもよい。
【００４０】
図１４は接続ホース７の正面図を示しており、図１５は図１４のＡ部の断面図を示している。接続ホース７は螺旋状に形成された芯線７ａを有し、樹脂成形品から成る表面部材７ｂが芯線７ａに支持される。接続ホース７は芯線７ａの弾性によって伸縮自在になっている。
【００４１】
表面部材７ｂは周面が軸方向に平坦な螺旋状の円筒面７ｃを有し、隣接する円筒面７ｃ間が連結面７ｄで連結される。接続ホース７が縮んだ状態では連結面７ｄは円筒面７ｃの内面に折り畳まれ、隣接する円筒面７ｃが接近して軸方向に積層される。従って、延長パイプ６を本体部４に装着した際に略鉛直に配される接続ホース７に対して掛止部２０を円筒面７ｃと摺動させることにより上下にスライド移動できる。
【００４２】
接続ホース７が軸方向に引張られると連結面７ｄが円筒面７ｃの内面側から引き出され、隣接する円筒面７ｃの間隔が広がって接続ホース７が伸長される。従って、延長パイプ６を本体部４から脱着した際に接続ホース７を伸長して天井等を容易に掃除することができる。この時、掛止部２０を下方にスライド移動させると、接続ホース７を大きく伸長させることができる。
【００４３】
尚、図１５において矢印Ｂは気流方向を示している。連結面７ｄは下方に折り畳まれるため下流側の開口面積が狭くなるように傾斜する。このため、延長パイプ６を脱着して接続ホース７の一部が縮んだ状態で掃除を行う際に連結面７ｄによる圧力損失の増加を抑制することができる。
【００４４】
本実施形態によると、電源コード１４の掛止部２０を伸縮自在の接続ホース７に取り付けたので、延長パイプ６を本体部４から脱着した際に接続ホース７が伸長するため電源コード１４を取外す必要がない。このため、容易に延長パイプ６を脱着して掃除を行うことができ、縦型電気掃除機１の利便性を向上することができる。
【００４５】
また、接続ホース７を挟持する環状部２１を掛止部２０に設け、延長パイプ６を本体部４に装着した際に接続ホース７が縮んだ状態で本体部４上に略鉛直に支持されるので、掛止部２０の環状部２１と接続ホース７とを摺動して掛止部２０を簡単に上下に移動させることができる。従って、延長パイプ６の着脱によって掛止部２０の位置を可変して電源コード１４を邪魔にならないように配置でき、縦型電気掃除機１の利便性をより向上することができる。
【００４６】
また、延長パイプ６を本体部４に装着して接続ホース７が縮んだ際に軸方向に連なる円筒面６ｃが積層されるので、掛止部２０の環状部２１と接続ホース７の円筒面７ｃとを摺動して掛止部２０をより簡単に上下に移動させることができる。
【００４７】
また、芯線７ａに支持される螺旋状の円筒面７ｃを連結して接続ホース７が縮んだ際に円筒面７ｃの内面に折り畳まれる連結面７ｄを有するので、伸びた際の接続ホース７の長さを十分確保することができる。
【００４８】
また、折り畳まれた連結面７ｄにより円筒面７ｃが補強されるため接続ホース７が曲がりにくくなり、掛止部２０をより簡単に上下に移動させることができる。加えて、接続ホース７が縮んだ時の内径を大きく確保することができる。これにより、接続ホース７の一部が縮んだ状態で掃除する際に気流面積を広く確保して高い吸引力を維持することができる。
【００４９】
尚、円筒面７ｃが螺旋状部材から成るが、複数の環状部材により構成して連結面で連結してもよい。また、円筒面７ｃと連結面７ｄとを別部材により形成してもよい。
【産業上の利用可能性】
【００５０】
本発明によると、本体部から延びて把持部を有した延長パイプを本体部に対して着脱できる縦型電気掃除機に利用することができる。
【図面の簡単な説明】
【００５１】
【図１】本発明の実施形態の縦型電気掃除機を示す斜視図
【図２】本発明の実施形態の縦型電気掃除機を示す正面図
【図３】本発明の実施形態の縦型電気掃除機を示す側面断面図
【図４】本発明の実施形態の縦型電気掃除機の延長パイプを脱着した状態を示す斜視図
【図５】本発明の実施形態の縦型電気掃除機の延長パイプを分離した状態を示す斜視図
【図６】本発明の実施形態の縦型電気掃除機の延長パイプから伸長パイプを引き出した状態を示す斜視図
【図７】本発明の実施形態の縦型電気掃除機の延長パイプを脱着して掃除を行う状態を示す斜視図
【図８】本発明の実施形態の縦型電気掃除機の延長パイプを分離して掃除を行う状態を示す斜視図
【図９】本発明の実施形態の縦型電気掃除機の背面斜視図
【図１０】本発明の実施形態の縦型電気掃除機の掛止部を背面側から見た斜視図
【図１１】本発明の実施形態の縦型電気掃除機の掛止部を正面側から見た斜視図
【図１２】本発明の実施形態の縦型電気掃除機の掛止部の底面図
【図１３】本発明の実施形態の縦型電気掃除機の収納時の状態を示す斜視図
【図１４】本発明の実施形態の縦型電気掃除機の接続ホースを示す正面図
【図１５】図１４のＡ部の詳細を示す断面図
【符号の説明】
【００５２】
１    縦型電気掃除機
２    電動送風機
３    集塵部
４    本体部
５    吸込口体
６    延長パイプ
６ａ  下部
６ｂ  上部
６ｃ  伸長パイプ
６ｆ  フック
７    接続ホース
７ａ  芯線
７ｂ  表面部材
７ｃ  円筒面
７ｄ  連結面
８    把持部
９    可動部
１０    中間ホース
１４    電源コード
２０    掛止部
２１    環状部
２４    溝部
２６    フック挿入部
【図１】
2008161501.tif 000003
【図２】
2008161501.tif 000004
【図３】
2008161501.tif 000005
【図４】
2008161501.tif 000006
【図５】
2008161501.tif 000007
【図６】
2008161501.tif 000008
【図７】
2008161501.tif 000009
【図８】
2008161501.tif 000010
【図９】
2008161501.tif 000011
【図１０】
2008161501.tif 000012
【図１１】
2008161501.tif 000013
【図１２】
2008161501.tif 000014
【図１３】
2008161501.tif 000015
【図１４】
2008161501.tif 000016
【図１５】
2008161501.tif 000017